(57)【要約】【課題】この発明は、質量の大きな雑誌、広告紙がスムーズに通過し、抵抗なくプレスケースに送り出すことができるのである。よって、コンベヤを停止させることがなく、ホッパに供給し結束能率を上げることができる古紙結束装置のホッパ内におけるガイド板装置の提供にある。【解決手段】ホッパの下部の垂直内壁面に沿って誘導傾斜上部と、誘導垂直下部とからなるガイド板を配置し、古紙の種類に対応して、誘導傾斜上部の傾斜を変えて傾斜誘導すると共に、誘導垂直下部と対応内壁面との間隔を変え、ホッパの下部下端よりプレスケースに連通する接続口を拡縮し、かつ、ホッパの下部における垂直誘導貯留量を拡縮してなる古紙結束装置における投入路のガイド板装置。【選択図】        図４
2004154808.tif 000002
【特許請求の範囲】
【請求項１】
ホッパの下部の垂直内壁面に沿って誘導傾斜上部と、誘導垂直下部とからなるガイド板を配置し、古紙の種類に対応して、誘導傾斜上部の傾斜を変えて傾斜誘導すると共に、誘導垂直下部と対応内壁面との間隔を変え、ホッパの下部下端よりプレスケースに連通する接続口を拡縮し、かつ、ホッパの下部における垂直誘導貯留量を拡縮してなる古紙結束装置における投入路のガイド板装置。
【請求項２】
前記ガイド板の誘導傾斜上部は、その下端を前記誘導垂直下部の上端と軸着連結し、前記誘導傾斜上部の上端は、ホッパの下部の垂直内壁面に軸着して内壁面からホッパの下部内に回動自在に支架され、前記誘導垂直下部の下端よりに、前記誘導傾斜上部と同一か略同一の長さでホッパの下部の内壁面に軸着して配置されたリンク支杆により軸着連結されて垂直面または略垂直面を維持して回動自在に配置され、前記誘導垂直下部は、ホッパの下部の内壁面に配置された往復ピストン杆と軸着連結して支持してなる請求項１の古紙結束装置における投入路のガイド板装置。
【請求項３】
前記ガイド板の誘導傾斜上部は、その下端を前記誘導垂直下部の上端と軸着連結し、前記誘導傾斜上部の上端は、ホッパの下部の垂直内壁面に軸着して内壁面からホッパの下部内に回動自在に支架し、前記誘導垂直下部の下端よりに、前記誘導傾斜上部と同一か略同一の長さでホッパの下部の内壁面に軸着して配置したリンク支杆により軸着連結して垂直面または略垂直面を維持して回動自在に配置し、前記誘導垂直下部は、ホッパの下部の内壁面に配置した往復ピストン杆と軸着連結して支持してなる請求項１の古紙結束装置における投入路のガイド板装置。
【発明の詳細な説明】
【０００１】
【発明が属する技術分野】
この発明は、古紙結束装置のホッパ内におけるガイド板装置に関するものである。
【０００２】
【従来の技術】
従来、古紙結束装置のホッパ内におけるガイド板装置は、図１および図２に示すように、ホッパ内において、内壁に沿う一枚のガイド板を、その上端を軸支し、その下端との中途を背後から作動棒を連結し、作動棒の回動または伸縮作動で、ガイド板を、その上端の軸支部を中心に回動し、下端と壁面との間隔を、古紙の種類に応じて、例えば、収縮率の大きい段ボール類では、図１に示すように、下端を壁に付けて全開し、新聞類では、図２に示すように、回動して狭め、雑誌類では、図示しないが、さらに、壁面との間隔を狭めて投入量を調整するものである。
【０００３】
【発明が解決しようとする課題】
前記のように、一枚のガイド板を、その上端を中心に回動し、その下端縁と壁面との間隔を調整する装置では、図２に示すように、プレスケースの投入口に対して、除々に投入路が狭小となるため、ホッパ内では、新聞類がガイド板に沿って斜め方向に作用する力と、垂直方向に作用する力とが衝突して一体に積重し、全体が塊となって詰まり、下方に落下しなくなることがあった。そこで、従来は、図１および図２に示すように、プレスケースの投入口に接近する上方に、感知センサーを設置し、この部分まで古紙が投入されたとき、供給コンベアを停止し、ホッパへの投入を一時停止していた。このため、プレスケースへの投入が中断し、古紙結束能率を上げることができなかった。この発明は、かかる欠点を改善することを目的になされたものである。
【０００４】
【課題を解決するための手段】
ホッパの下部の垂直内壁面に沿って誘導傾斜上部と、誘導垂直下部とからなるガイド板を配置し、古紙の種類に対応して、誘導傾斜上部の傾斜を変えて傾斜誘導すると共に、誘導垂直下部と対応内壁面との間隔を変え、ホッパの下部下端よりプレスケースに連通する接続口を拡縮し、かつ、ホッパの下部における垂直誘導貯留量を拡縮してなる古紙結束装置における投入路のガイド板装置にある。
【０００５】
前記ガイド板の誘導傾斜上部は、その下端を前記誘導垂直下部の上端と軸着連結し、前記誘導傾斜上部の上端は、ホッパの下部の垂直内壁面に軸着して内壁面からホッパの下部内に回動自在に支架され、前記誘導垂直下部の下端よりに、前記誘導傾斜上部と同一か略同一の長さでホッパの下部の内壁面に軸着して配置されたリンク支杆により軸着連結されて垂直面または略垂直面を維持して回動自在に配置され、前記誘導垂直下部は、ホッパの下部の内壁面に配置された往復ピストン杆と軸着連結して支持してなる請求項１の古紙結束装置における投入路のガイド板装置としてもよいものである。
【０００６】
前記ガイド板の誘導傾斜上部は、その下端を前記誘導垂直下部の上端と軸着連結し、前記誘導傾斜上部の上端は、ホッパの下部の垂直内壁面に軸着して内壁面からホッパの下部内に回動自在に支架し、前記誘導垂直下部の下端よりに、前記誘導傾斜上部と同一か略同一の長さでホッパの下部の内壁面に軸着して配置したリンク支杆により軸着連結して垂直面または略垂直面を維持して回動自在に配置し、前記誘導垂直下部は、ホッパの下部の内壁面に配置した往復ピストン杆と軸着連結して支持してなる請求項１の古紙結束装置における投入路のガイド板装置としてもよいものである。
【０００７】
【発明の実施の形態】
ホッパの下部の垂直内壁面に沿って誘導傾斜上部と、誘導垂直下部とからなるガイド板を配置し、古紙の種類に対応して、誘導傾斜上部の傾斜を変えて傾斜誘導すると共に、誘導垂直下部と対応内壁面との間隔を変え、ホッパの下部下端よりプレスケースに連通する接続口を拡縮し、かつ、ホッパの下部における垂直誘導貯留量を拡縮してなる古紙結束装置における投入路のガイド板装置にあって、前記ガイド板の誘導傾斜上部は、その下端を前記誘導垂直下部の上端と軸着連結し、前記誘導傾斜上部の上端は、ホッパの下部の垂直内壁面に軸着して内壁面からホッパの下部内に回動自在に支架され、前記誘導垂直下部の下端よりに、前記誘導傾斜上部と同一か略同一の長さでホッパの下部の内壁面に軸着して配置されたリンク支杆により軸着連結されて垂直面または略垂直面を維持して回動自在に配置され、前記誘導垂直下部は、ホッパの下部の内壁面に配置された往復ピストン杆と軸着連結して支持してなる古紙結束装置における投入路のガイド板装置。
【０００８】
【実施例】
以下、この発明の古紙結束装置のホッパ内におけるガイド板装置を実施の一例である図面に基いて説明すると、先ず、一般の古紙結束装置１１を説明すると、ホッパ１２の下部１２ａを接続口１３よりプレスケース１４に連通し、ホッパ１２に投入された古紙の段ボール１５ａは、接続口１３を通じてプレスケース１４に落下し、その一定量が送られると、プレス盤１６がピストン１７ａおよびシリンダー（図示しない）からなる主押１７の作動で往復動し、段ボール１５ａをプレスして結束部１８へ押し出して、プレスケース１４内を空にし、再び、上方から段ボール１５ａをプレスケース１４に落下して、プレス作動を繰り返して所要長さの古紙立方体１９を形成すると、その外側に、図示しないが、番線を数段巻き回して結束し、古紙結束体を設けるものである。
【０００９】
次に、この発明の古紙結束装置１１のホッパ１２内におけるガイド板装置２０を説明すると、前記ホッパ１２の下部１２ａの垂直内壁面１２ａ１に沿って誘導傾斜上部２１ａと、誘導垂直下部２１ｂとからなるガイド板２１を配置し、古紙の種類に対応して、誘導傾斜上部２１ａの傾斜を変えて、傾斜誘導すると共に、誘導垂直下部２１ｂと対応内壁面との間隔を変え、接続口１３の大きさを変え、かつ、ホッパ１２の下部１２ａにおける垂直誘導貯留量を拡縮をするものである。
【００１０】
前記ガイド板２１の誘導傾斜上部２１ａは、その下端を前記誘導垂直下部２１ｂの上端と支軸２２により軸着連結し、また、前記誘導傾斜上部２１ａの上端は、ホッパ１２の下部１２ａの垂直内壁面１２ａ１に支軸２３により軸着して垂直内壁面１２ａ１からホッパ１２の下部１２ａ内に回動自在に支架され、前記誘導垂直下部２１ｂの下端よりに、前記誘導傾斜上部２１ａと同一か略同一の長さでホッパ１２の下部１２ａの垂直内壁面１２ａ１に、その基端を支軸２４により軸着して配置されたリンク支杆２５の先端に、支軸２６により軸着連結されて垂直面または略垂直面を維持して回動自在に配置され、さらに、前記誘導垂直下部２１ｂは、実施例では、ホッパ１２の下部１２ａの内壁面１２ａ１に配置された往復ピストン杆２７と支軸２８により軸着連結して支持されている。この往復ピントン杆２７は、図示しないが、前記誘導傾斜上部２１ａに軸着連結し、これを支持して作動してもよいものである。
【００１１】
この発明の古紙結束装置のホッパ内におけるガイド板装置２０は、前述のように構成されるものであるから、図３に示すように、往復ピストン杆２７を後退させて誘導垂直下部２１ｂを垂直内壁面１２ａ１に引き寄せて誘導傾斜上部２１ａと共に、垂直内壁面１２ａ１と同一面に配備してホッパ１２内に投入される段ボール１５ａを全開された接続口１３を通じてプレスケース１４に送り出されるものである。この実施例では、接続口１３に近接する上方に下部センサー２９が配置されるから、この下部センサー２９の感知で段ボール１５ａの投入を開始し、その上方に離れて配置される上部センサー３０の感知で、例えば、段ボール１５ａの投入を停止して段ボール１５ａのプレス作業を従来通り能率的に行うことができる。
【００１２】
次に、図４に示すように、古紙が雑誌１５ｂのように質量の大きいものでは、往復ピストンかん２７を前進させて誘導垂直下部２１ｂを垂直内壁面１２ａ１より押し出し誘導傾斜上部２１ａを傾斜面に、誘導垂直下部２１ｂを垂直面にして、ホッパ１２の下部１２ａの通路を縮小して狭小に構成するので、ホッパ１２内に投入される雑誌１５ｂを縮小された接続口１３を通じてプレスケース１４に送り出されるものである。この実施例では、前記のように、下部センサー２９の上方高く、誘導垂直下部２１ｂの上端に対応して配置された上部センサー３０が配置されるから、この上部センサー３０が感知するまで、雑誌１５ｂを投入することができ、この積重通路は、接続口１３に対して同じ断面積であるので、質量の大きな雑誌１５ｂがスムーズに通過し、抵抗なくプレスケース１４に送り出すことができるのである。よって、コンベヤを停止させることがなく、ホッパ１２に供給し結束能率を上げることができる。
【００１３】
また、ホッパ１２の下部１２ａの送出量を調整し、かつ、接続口１３に対応する垂直重力圧をかけてスムーズな落下を図り、さらに、コンベヤの作動中止を無くして結束能力を高めるものである。
【００１４】
前記ガイド板装置２０は、図５および図６に示すように、構成してもよいものである。
【００１５】
【発明の効果】
この発明の古紙結束装置のホッパ内におけるガイド板装置は、以上のようになるから、質量の大きな雑誌、広告紙がスムーズに通過し、抵抗なくプレスケースに送り出すことができるのである。よって、コンベヤを停止させることがなく、ホッパに供給し結束能率を上げることができる。
【図面の簡単な説明】
【図１】従来のこの種、古紙結束装置のホッパ内におけるガイド板装置において、段ボールプレス時の縦断側面説明図である。
【図２】同じく、従来のこの種、古紙結束装置のホッパ内おけるガイド板装置において、雑誌等のプレス時の縦断側面説明図である。
【図３】この発明の古紙結束装置のホッパ内におけるガイド板装置において、段ボールプレス時の縦断側面説明図である。
【図４】同じく、この発明の古紙結束装置のホッパ内におけるガイド板装置において、雑誌等のプレス時の縦断側面説明図である。
【図５】同じく、この発明の古紙結束装置のホッパ内におけるガイド板装置においてガイド板の側面図である。
【図６】同じく、ガイド板の背面図である。
【符号の説明】
１１  古紙結束装置
１２  ホッパ
１２ａ  下部
１２ａ１  垂直内壁面
１３  接続口
１４  プレスケース
１５ａ  段ボール
１５ｂ  雑誌
１６  プレス盤
１７  主押
１７ａ  ピストン
１８  結束部
１９  古紙立方体
２０  ガイド板装置
２１  ガイド板
２１ａ  誘導傾斜上部
２１ｂ  誘導垂直下部
２２  支軸
２３  支軸
２４  支軸
２５  リンク支杆
２６  支軸
２７  往復ピストン杆
２８  支軸
２９  下部センサー
３０  上部センサー
【図１】
2004154808.tif 000003
【図２】
2004154808.tif 000004
【図３】
2004154808.tif 000005
【図４】
2004154808.tif 000006
【図５】
2004154808.tif 000007
【図６】
2004154808.tif 000008